(57)【要約】【課題】    往来の赤外線を利用した物体の移動若しくは通過及び停止を検出する装置は、その構造及び構成上の問題で赤外線を自ら放射若しくは遮蔽又は赤外線透過及び反射を所要のタイミングで行うことのできる物体（装置）が、移動若しくは通過及び停止した時に、これが正常な検出か、誤作動を起こしているかの違いを検出することが出来ないという問題があった。【解決手段】    赤外線を自ら放射若しくは遮蔽を所要のタイミングで行うことのできる物体（装置）に対しての赤外線検知部と、赤外線透過及び反射を所要のタイミングで行うことのできる物体（装置）に対して、赤外線偏光機構を使用して濾波された個別な赤外線を利用した物体の移動若しくは通過及び停止を検出する装置を構成した。これにより正常な物体の検出か誤作動による偽の正常を装った検出かを検知しこれにより誤作動をを防止することが出来る。【選択図】    図１
2005257662.tif 000002
【特許請求の範囲】
【請求項１】
赤外線検出手段を配設する検出部と個別な赤外線のみを放射及び検知する赤外線検知部とを配設する赤外線検知を利用した物体検出装置。
【請求項２】
所望以外の赤外線を放射する物体からの赤外線を検出する赤外線検出手段から構成されることを特徴とする赤外線検知を利用した物体検出装置。
【請求項３】
個別的な赤外線偏光機構を備え、偏光された個別的な赤外線のみを放射する赤外線放射部と、赤外線放射部と同一の個別的な赤外線偏光機構を備え、赤外線放射部と同一の個別的な赤外線のみを検知する赤外線検知部とから構成されることを特徴とする赤外線検知を利用した物体検出装置。
【請求項４】
上記請求項２及び請求項３の両方の検知内容から所望である物体と所望でない物体を判別して出力する出力部とを備えた赤外線検知を利用した物体検出装置。
【発明の詳細な説明】
【技術分野】
【０００１】  本発明は赤外線を利用して物体の移動若しくは通過及び停止を検出する装置への無効な赤外線放射若しくは遮蔽及び透過若しくは反射による誤動作を防止することを可能にする赤外線検知を利用した物体検出装置に関するものである。
【背景技術】
【０００２】  往来の赤外線を利用した物体の移動若しくは通過及び停止を検出する装置は、赤外線放射装置から放射する赤外線を赤外線検出装置で受光検出することによって、その受光時と遮光時との差を検出し物体の移動若しくは通過及び停止を検出するか、その反射光を受光することによって同様の物体の移動若しくは通過及び停止を検出しているものが殆どである。【０００３】  また、往来の赤外線を利用した移動若しくは通過及び停止を検出する装置は複数個設置することでその通過状態を検出順序及び検出時間差を利用して物体の速度及び停止（物体の詰まり）及び物体の寸法を演算検出することが可能となっている。【０００４】  以上に述べた往来の赤外線を利用した物体の移動若しくは通過及び停止を検出する装置は、同様の赤外線を自ら放射及び遮蔽を行うことのできる物体（装置）又は赤外線透過及び反射を所要のタイミングで行うことが出来る物体が移動若しくは通過及び停止した場合には正しく検出することが出来ず、実際の通過物とはまったく違う通過速度及び通過物体の寸法などの状態を、誤作動として正常検出することがしばしば有り誤報の発生が避けられないという欠点があった。【０００５】  しかし、往来の方法では偽りの物体が移動若しくは通過及び停止しながら赤外線遮光及び赤外線発光又は赤外線透過及び反射を所要のタイミングで行うと、あたかも正常な物体の移動若しくは通過が行われたかの如く検知してしまい、その利用箇所が硬貨の検出やメダルの検出等にも及んでいるためきわめて産業上不利益をもたらしており、こうした使用者の強い要望に答えるために発明されたものである。
【発明の開示】
【発明が解決しようとする課題】
【０００６】  本発明は、このような往来の構成が有していた問題を解決しようというものであり、上記のように赤外線を自ら放射若しくは遮蔽又は赤外線透過及び反射を所要のタイミングで行うことのできる物体（装置）が移動若しくは通過及び停止した時に赤外線を利用した物体の移動若しくは通過及び停止を検出する装置が作動し、これが正常な検出か、誤作動を起こしているかの違いを検出し、その欠点を除くために考えたものである。
【課題を解決するための手段】
【０００７】  上記の課題を解決するために本発明の赤外線検知を利用した物体検出装置の赤外線検出器を、赤外線を利用した物体の移動若しくは通過及び停止を検出する装置の赤外線検出器とは別に赤外線検出器を隣接若しくは、複数配置された赤外線を利用した物体の移動若しくは通過及び停止を検出する装置の中間部及び最後部に配設し所望以外の赤外線（以下、異常赤外線と呼ぶことにする）を検出するように構成する。【０００８】  さらに異常赤外線と異常遮蔽物のよる誤作動を同時に解決するために、赤外線を利用した物体の移動若しくは通過及び停止を検出する装置の発光部に個別に決められた偏光角度で赤外線偏光フィルタを配設し偏光フィルタを通過させることにより個別的な赤外光に変換し、その赤外光を受光する赤外線検知部にも個別に決められた同一の角度で偏光フィルタを配設し偏光フィルタを通過できた角度の個別偏光状態での赤外線しか入射しないため、異常赤外線の光線は遮断され、所望の赤外線のみ濾波され、これが赤外線検出器により検出されることで、赤外線遮光及び赤外線発光又は赤外線透過及び反射を所要のタイミングで行う（装置）の移動若しくは通過及び停止を検出するように構成する。
【発明の効果】
【０００９】  上述したように本発明の赤外線検知を利用した物体検出装置は異常赤外線と異常遮蔽物による誤作動を同時に解決するという効果を発揮するものである。【００１０】  また、液晶などの透明状態と遮光状態を成しえる物体を使用し、赤外線透過及び遮光動作させて誤作動を起こす目的の物体に対しても、個別に決められた赤外線偏光シート等による個別偏光赤外線が透明な物体を通過する際に、その赤外線が偏光されて通過することで偏光角度が変化し所望外の赤外線の光線となり遮断されることで、これを赤外線検出器により検出し誤作動を解決するという効果を発揮するものである。
【発明を実施するための最良の形態】
【００１１】
【００１２】  以下、本発明の実施形態を図１〜図５に基づいて説明する。
【実施例】
【００１３】  図においては、１は赤外線を受光する手前部赤外線受光器で、透過型赤外線インタラプタ６の通過物体検知範囲の物体通過方向の手前部に配設する。また図のように手前部赤外線受光器１と同時に中間部赤外線受光器２、最後部赤外線受光器３を配設することで異常赤外線放射物体の検出確度を上げることができる。【００１４】  また、赤外線偏光機構（赤外線偏光フィルム）を赤外線放射部用と受光部用をに同一角度で配設し、個別的偏光赤外線機能を利用するため１ペアごとに偏向角をランダムに用意されたユニークな角度の個別的な赤外線放射側偏光フィルム４、同じく赤外線受光側偏光フィルム５を透過型赤外線インタラプタ６に図のように配設することにより個別偏光赤外線以外の赤外線及び液晶等の透明な物体７による所望以外で透過偏光された赤外線を遮蔽して個別偏光赤外線を透過型赤外線インタラプタ６の赤外線検出器により検出することで誤作動を解決することができる。【００１５】  以上のように本実施形態によれば、赤外線発光及び遮蔽能力を持った装置または赤外線透過及び遮蔽能力を持った装置による誤作動を目的とした行為及び動作を検出する効果が得られるものです。
【図面の簡単な説明】
【００１６】
【図１】本発明の実施実態を示す斜視図
【図２】本発明の実施実態を示す配置平面図
【図３】本発明の実施実態を示す正常時の光路図
【図４】本発明の実施実態を示す異常時の光路図
【符号の説明】
【００１７】１  手前部赤外線受光器
２  中間部赤外線受光器
３  最後部赤外線受光器
４  赤外線放射側偏光フィルム
５  赤外線受光側偏光フィルム
６  透過型赤外線インタラプタ
７  液晶等の透明な物体
【図１】
2005257662.tif 000003
【図２】
2005257662.tif 000004
【図３】
2005257662.tif 000005
【図４】
2005257662.tif 000006